【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
複数のＰＤＣＰ  ＰＤＵが連続するかどうかを決定するステップと、
前記複数のＰＤＣＰ  ＰＤＵが連続するときには前記複数のＰＤＣＰ  ＰＤＵを１つのＲＬＣ  ＰＤＵにマッピングするステップとを含み、前記複数のＰＤＣＰ  ＰＤＵのうちの第１のＰＤＣＰ  ＰＤＵのＰＤＣＰ  ＳＮが予約されるとともに、残りのＰＤＣＰ  ＰＤＵのＰＤＣＰ  ＳＮが削除され、さらに、
前記複数のＰＤＣＰ  ＰＤＵが連続することを示すために、ＲＬＣ  ＰＤＵのヘッダ内のフラグ・ビットを第１のプリセット値として設定するステップとを含む、データ送信方法。
【請求項２】
前記複数のＰＤＣＰ  ＰＤＵが非連続であるときには前記複数のＰＤＣＰ  ＰＤＵを１つのＲＬＣ  ＰＤＵにマッピングするステップをさらに含み、前記複数のＰＤＣＰ  ＰＤＵのＰＤＣＰ  ＳＮがすべて予約され、さらに、
前記複数のＰＤＣＰ  ＰＤＵが非連続であることを示すために、前記ＲＬＣ  ＰＤＵのヘッダ内の前記フラグ・ビットを第２の現在値として設定するステップを含む、請求項１に記載の方法。
【請求項３】
１つのＰＤＣＰ  ＰＤＵの最後の部分が前記ＲＬＣ  ＰＤＵにマッピングされるときには、前記１つのＰＤＣＰ  ＰＤＵに続くＰＤＣＰ  ＰＤＵのＰＤＣＰ  ＳＮがＲＬＣ  ＳＤＵ内で予約されるとともに後続のＰＤＣＰ  ＰＤＵのＰＤＣＰ  ＳＮが削除される、請求項２に記載の方法。
【請求項４】
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれない、請求項１に記載の方法。
【請求項５】
ＲＬＣ  ＰＤＵのヘッダ内のフラグ・ビットが第１のプリセット値として設定されているか、または第２のプリセット値として設定されているかを決定するステップと、
前記フラグ・ビットが前記第１のプリセット値として設定されているときには前記ＲＬＣ  ＰＤＵ内に含まれる第１のＰＤＣＰ  ＰＤＵを除くそれぞれのＰＤＣＰ  ＰＤＵに連続的にＰＤＣＰ  ＳＮを追加するステップとを含む、データ受信方法。
【請求項６】
前記フラグ・ビットが前記第２のプリセット値として設定されているときには前記ＲＬＣ  ＰＤＵ内に含まれるＰＤＣＰ  ＰＤＵのＰＤＣＰ  ＳＮに基づいてそれぞれのＰＤＣＰ  ＳＮを連続的に再開するステップをさらに含む、請求項５に記載の方法。
【請求項７】
複数のＰＤＣＰ  ＰＤＵが連続するかどうかを決定するステップと、
前記複数のＰＤＣＰ  ＰＤＵが非連続であるときには前記複数のＰＤＣＰ  ＰＤＵをそれぞれのＲＬＣ  ＰＤＵにマッピングするステップとを含み、前記複数のＰＤＣＰ  ＰＤＵのＰＤＣＰ  ＳＮが予約され、さらに、
前記複数のＰＤＣＰ  ＰＤＵが連続するときには前記複数のＰＤＣＰ  ＰＤＵを１つのＲＬＣ  ＰＤＵにマッピングするステップを含み、前記複数のＰＤＣＰ  ＰＤＵのうちの第１のＰＤＣＰ  ＰＤＵのＰＤＣＰ  ＳＮが予約されるとともに、前記残りのＰＤＣＰ  ＰＤＵのＰＤＣＰ  ＳＮが削除される、データ送信方法。
【請求項８】
ＲＬＣ  ＰＤＵが少なくとも２つのＰＤＣＰ  ＰＤＵを含むかどうかを決定するステップと、
前記ＲＬＣ  ＰＤＵが少なくとも２つのＰＤＣＰ  ＰＤＵを含むときには前記ＲＬＣ  ＰＤＵ内に含まれる前記第１のＰＤＣＰ  ＰＤＵを除くそれぞれのＰＤＣＰ  ＰＤＵに連続的にＰＤＣＰ  ＳＮを追加するステップと、
前記ＲＬＣ  ＰＤＵが少なくとも２つのＰＤＣＰ  ＰＤＵを含まないときにはそれぞれのＰＤＣＰ  ＰＤＵを前記ＲＬＣ  ＰＤＵから直接再開するステップとを含む、データ受信方法。
【請求項９】
複数のＰＤＣＰ  ＰＤＵが連続するかどうかを決定するように適合された送信制御ユニットと、
前記複数のＰＤＣＰ  ＰＤＵが連続するときには前記複数のＰＤＣＰ  ＰＤＵを１つのＲＬＣ  ＰＤＵにマッピングするように適合されたマッピング・ユニットとを含み、前記複数のＰＤＣＰ  ＰＤＵのうちの第１のＰＤＣＰ  ＰＤＵのＰＤＣＰ  ＳＮが予約されるとともに、前記残りのＰＤＣＰ  ＰＤＵのＰＤＣＰ  ＳＮが削除される、データ送信装置であって、
前記送信制御ユニットが、前記複数のＰＤＣＰ  ＰＤＵが連続することを示すために、ＲＬＣ  ＰＤＵのヘッダ内のフラグ・ビットを第１のプリセット値として設定するようにさらに適合される、データ送信装置。
【請求項１０】
前記マッピング・ユニットが、前記複数のＰＤＣＰ  ＰＤＵが非連続であるときには前記複数のＰＤＣＰ  ＰＤＵを１つのＲＬＣ  ＰＤＵにマッピングするようにさらに適合され、前記複数のＰＤＣＰ  ＰＤＵのＰＤＣＰ  ＳＮがすべて予約され、また、前記送信制御ユニットが、前記複数のＰＤＣＰ  ＰＤＵが非連続であることを示すために前記ＲＬＣ  ＰＤＵのヘッダ内の前記フラグ・ビットを第２のプリセット値として設定する、請求項９に記載の装置。
【請求項１１】
１つのＰＤＣＰ  ＰＤＵの最後の部分が前記ＲＬＣ  ＰＤＵにマッピングされるべきときには、前記１つのＰＤＣＰ  ＰＤＵに続くＰＤＣＰ  ＰＤＵのＰＤＣＰ  ＳＮが前記ＲＬＣ  ＳＤＵ内で予約されるとともに前記後続のＰＤＣＰ  ＰＤＵのＰＤＣＰ  ＳＮが削除される、請求項９に記載の装置。
【請求項１２】
前記ＲＬＣ  ＰＤＵがＰＤＣＰ  ＰＤＵの１つのセグメントだけを含み、このセグメントが前記ＰＤＣＰ  ＰＤＵの第１のセグメントではないときには前記ＰＤＣＰ  ＰＤＵのＰＤＣＰ  ＳＮは前記ＲＬＣ  ＰＤＵ内に含まれない、請求項９に記載の装置。
【請求項１３】
ＲＬＣ  ＰＤＵのヘッダ内のフラグ・ビットが第１のプリセット値として設定されているか、または第２のプリセット値として設定されているかを決定するように適合された受信制御ユニットと、
前記フラグ・ビットが前記第１のプリセット値として設定されているときには前記ＲＬＣ  ＰＤＵ内に含まれる前記第１のＰＤＣＰ  ＰＤＵを除くそれぞれのＰＤＣＰ  ＰＤＵに連続的にＰＤＣＰ  ＳＮを追加するように適合された逆マッピング・ユニットとを含む、データ受信装置。
【請求項１４】
前記逆マッピング・ユニットが、前記フラグ・ビットが前記第２のプリセット値として設定されているときには前記ＲＬＣ  ＰＤＵ内に含まれるＰＤＣＰ  ＰＤＵのＰＤＣＰ  ＳＮに基づいてそれぞれのＰＤＣＰ  ＳＮを連続的に再開するようにさらに適合される、請求項１３に記載の装置。
【請求項１５】
複数のＰＤＣＰ  ＰＤＵが連続するかどうかを決定するように適合された送信制御ユニットと、
前記複数のＰＤＣＰ  ＰＤＵが非連続であるときには前記複数のＰＤＣＰ  ＰＤＵをそれぞれのＲＬＣ  ＰＤＵにマッピングし、前記複数のＰＤＣＰ  ＰＤＵのＰＤＣＰ  ＳＮがすべて予約され、および前記複数のＰＤＣＰ  ＰＤＵが連続するときには前記複数のＰＤＣＰ  ＰＤＵを１つのＲＬＣ  ＰＤＵにマッピングするように適合されたマッピング・ユニットとを含み、前記複数のＰＤＣＰ  ＰＤＵのうちの第１のＰＤＣＰ  ＰＤＵのＰＤＣＰ  ＳＮが予約されるとともに、前記残りのＰＤＣＰ  ＰＤＵのＰＤＣＰ  ＳＮが削除される、データ送信装置。
【請求項１６】
ＲＬＣ  ＰＤＵが少なくとも２つのＰＤＣＰ  ＰＤＵを含むかどうかを決定するように適合された受信制御ユニットと、
前記ＲＬＣ  ＰＤＵが少なくとも２つのＰＤＣＰ  ＰＤＵを含むときには前記ＲＬＣ  ＰＤＵ内に含まれる前記第１のＰＤＣＰ  ＰＤＵを除くそれぞれのＰＤＣＰ  ＰＤＵに連続的にＰＤＣＰ  ＳＮを追加し、前記ＲＬＣ  ＰＤＵが少なくとも２つのＰＤＣＰ  ＰＤＵを含まないときにはそれぞれのＰＤＣＰ  ＰＤＵを前記ＲＬＣ  ＰＤＵから直接再開するように適合された逆マッピング・ユニットとを含む、データ受信装置。